(57)【要約】【課題】カラオケ装置が従来から持つ採点機能や、無作為選曲機能といった付加機能を活用し、より娯楽性の高いカラオケ装置を実現する。【解決手段】複数のマイクロフォンを備えたカラオケ装置において、最も早く選択要求信号を発したマイクロフォンのみを選択し使用可能にする音声入力装置を備え、この音声入力装置と、従来から有る採点機能、および無作為選曲機能を組み合わせることにより、例えば「曲当て」などの遊びが手軽に楽しめるようになり、より娯楽性の高いカラオケ装置を実現することができる。【選択図】      図８
2004348002.tif 000002
【特許請求の範囲】
【請求項１】
待機状態と、選択または非選択状態とを、それぞれ有する複数の音声入力端子を備え、
それぞれ待機状態にある前記複数の音声入力端子のうちの所要の音声入力端子に選択要求が行われると、該所要の音声入力端子は選択状態となってこれに対する音声入力が可能となり、
前記所要の音声入力端子以外の音声入力端子は、該所要の音声入力端子の選択状態が解除されるまで、これに対する音声入力が不可である非選択状態となる、
ことを特徴とする音声入力装置。
【請求項２】
請求項１記載の音声入力装置において、
前記複数の各音声入力端子には、脈信号発生器を備えたマイクロフォンが接続され、
前記所要の音声入力端子に対する選択要求は、該音声入力端子に接続されたマイクロフォンの脈信号発生器の操作により脈信号を発生させることにより行う、
ことを特徴とする音声入力装置。
【請求項３】
請求項１記載の音声入力装置において、
前記所要の音声入力端子に対する選択要求は、該音声入力端子に接続されたマイクロフォンへの使用者の音声に基づいた信号を用いて行う、
ことを特徴とする音声入力装置。
【請求項４】
請求項１記載の音声入力装置を有し、
該音声入力装置を用いて、歌唱音声が入力される、
ことを特徴とするカラオケ装置。
【請求項５】
請求項４記載のカラオケ装置において、
演奏に必要な情報があらかじめ蓄積されている全ての楽曲、あるいは楽曲の分野等で制限された一部の楽曲の中から、演奏する楽曲を無作為に選曲する手段を備えた、
ことを特徴とするカラオケ装置。
【請求項６】
請求項５記載のカラオケ装置において、
前記マイクロフォンから入力された歌唱音声を、選曲された楽曲の歌詞情報および旋律情報の少なくとも一方と比較し、歌唱者が選択された楽曲を正しく歌唱しているかどうかを判定する手段を備えた、
ことを特徴とするカラオケ装置。
【請求項７】
請求項４記載のカラオケ装置において、
選択されたマイクロフォン、および歌唱者が楽曲を正しく歌唱したかどうかの判定結果、を記憶する手段を備えた、
ことを特徴とするカラオケ装置。
【発明の詳細な説明】
【０００１】
【発明の属する技術分野】
本発明は、音声入力装置、およびカラオケ装置に関し、特にそれぞれ、選択状態となるか、音声入力不可状態となる複数の音声入力端子を有する音声入力装置、およびこれを用いたカラオケ装置に関するものである。
【０００２】
【従来の技術】
図９は、従来の一般的なカラオケ装置の基本構成を示すブロック図である。図９において、９０１は楽曲供給部、９０２は操作部、９０３は音響制御部、９０４は表示制御部、９０５は音響出力装置、９０６は表示装置、９０７はマイクロフォンである。
【０００３】
以上のように構成された従来の一般的なカラオケ装置について、以下その動作を説明する。
楽曲供給部９０１には、カラオケ装置で演奏される全楽曲の演奏情報、歌詞情報、背景画像情報が、内蔵された記憶媒体、あるいは通信回線によって接続された遠隔地の記憶媒体に、あらかじめ蓄積されている。また、各楽曲には固有の編号が与えられており、歌唱者は楽曲供給部９０１に蓄積されている楽曲の中から所望の楽曲を選択し、該楽曲の編号を操作部９０２に入力することによりカラオケ装置に対し所望の楽曲の演奏を指示することが一般的となっている。
【０００４】
操作部９０２を経由して与えられる歌唱者の指示に基づいて、楽曲供給部９０１では歌唱者が所望する楽曲の演奏情報、歌詞情報、背景画像情報が抽出される。
楽曲供給部９０１において抽出された各情報のうち、演奏情報は音響制御部９０３に供給され、歌詞情報および背景画像情報は表示制御部９０４に供給される。また、演奏情報は、音響制御部９０３によって増幅され音響出力装置９０５からカラオケ伴奏として出力される。他方、歌詞情報および背景画像情報は、表示制御部９０４で合成処理され、表示装置９０６に表示される。
【０００５】
歌唱者はマイクロフォン９０７を用いて、音響出力装置９０５から出力されたカラオケ伴奏と表示装置９０６に表示された歌詞に従って歌唱する。歌唱者の歌声（以下、歌唱音声と呼ぶ）はマイクロフォン９０７を通して音響制御部９０３に供給され、前記カラオケ伴奏と共に、音響出力装置９０５から出力される。
【０００６】
以上述べたように、従来のカラオケ装置は、歌唱者が所望の楽曲を選択し、該楽曲の伴奏に合わせて歌唱することを目的としている。
また、ある種のカラオケ装置においては、採点機能や無作為選曲機能といった付加機能を持たせることで、娯楽性を高めているものも有る。
【０００７】
採点機能が付加されたカラオケ装置においては、歌唱音声が持つ旋律と楽曲本来の旋律とが比較され、両者の合致度合いが得点として表示される。採点機能によって、例えば複数の歌唱者が得点の優劣を競うといった使用方法が可能となり、カラオケの娯楽性が高められている。
【０００８】
また、無作為選曲機能が付加されたカラオケ装置においては（例えば、特許文献１参照）、楽曲供給部から供給される楽曲が歌唱者の指示に基づいたものではなく、楽曲供給部によって無作為に選択されたものになる。無作為選択機能によって、例えば、選択された楽曲を歌唱者が歌えるかどうかを試すような使用方法が可能となり、カラオケ装置の娯楽性が高められている。
【０００９】
【特許文献１】
特開平１１−９５７６１号公報
【００１０】
【発明が解決しようとする課題】
従来例に示した通り、採点機能や無作為選曲といったカラオケ装置の付加機能は、カラオケ装置の娯楽性を高めるために有効な手段ではある。しかしながら、これらの付加機能は一般的にそれぞれ単独で用いられているため、カラオケ装置に更なる高い娯楽性を求める上で限界を生じている。
【００１１】
本発明は、上記の課題を解決しようとするものであって、より高い娯楽性を提供することのできるカラオケ装置、およびこれに用いる音声入力装置を提供することを目的としている。
【００１２】
【課題を解決するための手段】
上記課題を解決するために、本発明（請求項１）にかかる音声入力装置は、待機状態と、選択または非選択状態とを、それぞれ有する複数の音声入力端子を備え、それぞれ待機状態にある前記複数の音声入力端子のうちの所要の音声入力端子に選択要求が行われると、該所要の音声入力端子は選択状態となってこれに対する音声入力が可能となり、前記所要の音声入力端子以外の音声入力端子は、該所要の音声入力端子の選択状態が解除されるまで、これに対する音声入力が不可である非選択状態となるものである。
【００１３】
また、本発明（請求項２）にかかる音声入力装置は、請求項１記載の音声入力装置において、前記複数の各音声入力端子には、脈信号発生器を備えたマイクロフォンが接続され、前記所要の音声入力端子に対する選択要求は、該音声入力端子に接続されたマイクロフォンの脈信号発生器の操作により脈信号を発生させることにより行うものである。
【００１４】
また、本発明（請求項３）にかかる音声入力装置は、請求項１記載の音声入力装置において、前記所要の音声入力端子に対する選択要求は、該音声入力端子に接続されたマイクロフォンへの使用者の音声に基づいた信号を用いて行うものである。
【００１５】
また、本発明（請求項４）にかかるカラオケ装置は、請求項３記載の音声入力装置を有し、該音声入力装置を用いて、歌唱音声が入力されるものである。
【００１６】
また、本発明（請求項５）にかかるカラオケ装置は、請求項４記載のカラオケ装置において、演奏に必要な情報があらかじめ蓄積されている全ての楽曲、あるいは楽曲の分野等で制限された一部の楽曲の中から、演奏する楽曲を無作為に選曲する手段を備えたものである。
【００１７】
また、本発明（請求項６）にかかるカラオケ装置は、請求項５記載のカラオケ装置において、前記マイクロフォンから入力された歌唱音声を、選曲された楽曲の歌詞情報および旋律情報の少なくとも一方と比較し、歌唱者が選択された楽曲を正しく歌唱しているかどうかを判定する手段を備えたものである。
【００１８】
また、本発明（請求項７）にかかるカラオケ装置は、請求項４記載のカラオケ装置において、選択されたマイクロフォン、および歌唱者が楽曲を正しく歌唱したかどうかの判定結果、を記憶する手段を備えたものである。
【００１９】
【発明の実施の形態】
以下、本発明のカラオケ装置について、図面を参照しながら説明する。尚、各実施の形態の音声入力装置においては、３本のマイクロフォンのうち１本のマイクロフォンを選択する例を示すものとする。
【００２０】
（実施の形態１）
図１は、本発明の実施の形態１における音声入力装置の回路例を示すものである。図１において、１０１は第１の選択端子、１０２は第２の選択端子、１０３は第３の選択端子、１０４は解除端子、１０５と１２７は論理否、１０６は２入力論理和、１０７、１１５、１２５は３入力論理和、１０８、１１０は録数器、１０９、１１１は選択器、１１９、１２０、１２１は比較器、１１２、１１３、１１４、１１６、１１７、１１８、１２２、１２３、１２４は２入力論理積、１２６は音声出力端子、１２８は第１の音声入力端子、１２９は第２の音声入力端子、１３０は第３の音声入力端子である。
【００２１】
ここで、上記録数器１１０、選択器１１１、論理積１１２、１１３、１１４、論理和１１５、及び比較器１１９、１２０、１２１は、２ビットの論理演算素子である。また、上記論理積１２２、１２３、１２４、論理和１２５、音声出力端子１２６、及び音声入力端子１２８、１２９、１３０は、Ｎビット（Ｎは１以上の整数）の論理演算素子または入出力端子である。また、図１において、複数ビットの論理演算素子の入力端子に１ビットの信号が供給されているものは、全ビットの入力端子それぞれに、該１ビットの信号が供給されているものとする。
【００２２】
また、録数器１０８および１１０は、同期信号の論理値が「１」に変化するのに同期して、その入力端子に供給されている信号が出力される一方、その初期化端子１０８Ｒおよび１１０Ｒに論理値「０」の信号が供給されると、論理値「０」の信号が出力されるものである。なお、図示はしていないが、録数器１０８および１１０には同一の周期の同期信号が供給されているものとする。
【００２３】
また、選択器１０９および１１１は、それぞれ２個の入力端子を有し、制御端子に入力された信号によって、前記２個の入力端子に入力された信号のうち一方を選択し出力する二者択一の選択器である。
【００２４】
また、比較器１１９、１２０、１２１は、それぞれ２個の入力端子を有し、両者に入力された信号の論理値が一致する場合には論理値が「１」の信号を出力し、一致しない場合には論理値が「０」の信号を出力するものである。
【００２５】
以上のように構成された本実施の形態１による音声入力装置の、動作について説明する。
第１の選択端子１０１、第２の選択端子１０２、第３の選択端子１０３、解除端子１０４には、それぞれ入力信号Ｓ１０１、Ｓ１０２、Ｓ１０３、Ｓ１０４が入力されており、初期状態において、これら４個の入力信号それぞれの論理値は「０」である。
【００２６】
入力信号Ｓ１０４は、論理否１０５を介して論理和１０６の一方の入力に供給される。また、論理和１０６のもう一方の入力端子には、前記第１から第３の選択端子より入力された信号、即ち信号Ｓ１０１、Ｓ１０２、Ｓ１０３が論理和１０７によって論理和演算された結果が供給される。初期状態においては、Ｓ１０１、Ｓ１０２、Ｓ１０３、Ｓ１０４の論理値は「０」であるため、論理和１０６の出力信号Ｓ１０６の論理値は「１」となる。
【００２７】
解除端子１０４に脈信号等の解除信号が入力され、信号Ｓ１０４の論理値が「１」となっている期間においては、信号Ｓ１０６の論理値は「０」となる。信号Ｓ１０６は、録数器１０８の初期化端子１０８Ｒに供給されるので、録数器１０８の出力信号Ｓ１０８の論理値が「０」となる。
【００２８】
録数器１０８の出力信号Ｓ１０８は、選択器１０９の制御端子１０９Ｓに供給され、選択器１０９において入力端子１０９Ａに供給されている信号を選択し出力するように制御する。
【００２９】
選択器１０９の入力端子１０９Ａには、論理和１０７の出力信号Ｓ１０７が供給されている。信号Ｓ１０７は３個の選択端子から入力される信号Ｓ１０１、Ｓ１０２、Ｓ１０３の論理和であり、かつ信号Ｓ１０１、Ｓ１０２、Ｓ１０３の論理値が「０」であるので、信号Ｓ１０７の論理値は「０」となっている。従って、選択器１０９の出力信号Ｓ１０９の論理値も「０」となる。
【００３０】
更に、信号Ｓ１０９は、録数器１０８に供給される。録数器１０８においては、その初期化端子１０８Ｒに論理値が「１」の信号が供給されている期間は、同期信号の論理値が「１」に変化するのに同期して、入力端子に供給されている信号が出力される。従って、解除端子１０４への解除信号入力後、信号Ｓ１０４の論理値が「０」に戻るのに伴い、信号Ｓ１０６の論理値は「１」となるので、録数器１０８の初期化端子１０８Ｒには、論理値「１」の信号が供給され、かつ論理和１０７の出力信号Ｓ１０７の論理値が「０」となるので、録数器１０８の出力信号Ｓ１０８の論理値は「０」の状態が保持される。
【００３１】
また、論理和１０６の出力信号Ｓ１０６は、２ビット録数器１１０の初期化端子１１０Ｒにも供給されている。従って、解除端子１０４に解除信号が入力され、Ｓ１０６の論理値が「０」となると、２ビット録数器１１０の出力信号Ｓ１１０の論理値は「００」となる。
【００３２】
更に、録数器１１０の入力端子には、選択器１１１の出力信号Ｓ１１１が供給されている。選択器１１１の制御端子１１１Ｓには、録数器１０８の出力信号Ｓ１０８が供給されており、前述したように、解除端子１０４に解除信号が入力された後は録数器１０８の出力信号Ｓ１０８の論理値は「０」である。この時、選択器１１１は、入力端子１１１Ａに供給されている信号を選択して出力するように制御される。
【００３３】
選択器１１１の入力端子１１１Ａには、３個の２ビット論理積１１２、１１３、１１４の出力信号を２ビット論理和１１５で論理和演算した結果の信号であるＳ１１５が供給されている。更に、３個の２ビット論理積１１２、１１３、１１４の一方の入力には、それぞれ論理積１１６、１１７、１１８の出力信号が供給されている。
【００３４】
３個の論理積１１６、１１７、１１８の一方の入力には、それぞれ選択端子１０１、１０２、１０３から入力信号Ｓ１０１、Ｓ１０２、Ｓ１０３が供給されている。前述したように、初期状態において、信号Ｓ１０１、Ｓ１０２、Ｓ１０３の論理値は「０」であるため、論理積１１２、１１３、１１４、１１６、１１７、１１８および論理和１１５による論理演算の結果、信号Ｓ１１５の論理値は「００」となり、選択器１１１の入力端子１１１Ａに供給される。
【００３５】
選択器１１１においては、入力端子１１１Ａに供給されている信号が出力されるので、Ｓ１１１の論理値も「００」となり、録数器１１０に供給される。
【００３６】
録数器１１０においては、同期信号が「１」に変化するのに同期して入力端子に供給されている信号が出力される。従って、解除端子１０４へ解除信号が入力された後、信号Ｓ１０４の論理値が「０」に戻るのに伴い信号Ｓ１０６の論理値は「１」に変化するので、録数器１１０の出力信号Ｓ１１０の論理値は、「００」の状態が保持される。
【００３７】
更に、信号Ｓ１１０は、３個の２ビット比較器１１９、１２０、１２１それぞれの一方の入力端子１１９Ａ、１２０Ａ、１２１Ａに供給される。また、３個の２ビット比較器１１９、１２０、１２１の他方の入力端子１１９Ｂ、１２０Ｂ、１２１Ｂへ供給される信号の論理値は、固定値となっており、それぞれ「０１」、「１０」、「１１」となっている。
【００３８】
３個の２ビット比較器１１９、１２０、１２１のそれぞれにおいて、録数器１１０の出力信号Ｓ１１０と固定値との比較が行なわれるが、前述したように信号Ｓ１１０の論理値は「００」であり、かつ２ビット比較器１１９、１２０、１２１の入力端子１１９Ｂ、１２０Ｂ、１２１Ｂにおいて、固定値「００」が供給されているものは存在しない。従って、比較器１１９、１２０、１２１からは論理値が「０」の信号が出力される。
【００３９】
２ビット比較器１１９、１２０、１２１の出力信号は、それぞれＮビット論理積１２２、１２３、１２４の一方の入力端子に供給され、更にＮビット論理積１２２、１２３、１２４の出力は、Ｎビット論理和１２５に供給されている。論理和１２５の出力は、そのまま音声出力端子１２６から出力される。
従って、前述したように、２ビット比較器１１９、１２０、１２１の出力信号の論理値が「０」であることから、音声出力端子１２６からは各ビットの論理値が「０」である信号が出力されることになる。
【００４０】
以上説明したように、解除端子１０４に解除信号が入力されると、音声出力端子１２６からは第１、第２、第３の音声信号のうちいずれも出力されず、各ビットの論理値が「０」である信号が出力されている状態となる。この状態を待機状態と呼ぶ。また、待機状態においては録数器１０８の出力信号Ｓ１０８の論理値が「０」となっていることが特徴的である。
【００４１】
次に、待機状態において、３個の選択端子１０１、１０２、１０３のいずれかに選択要求信号が入力されると、論理和１０７の出力信号Ｓ１０７の論理値が「１」に変化し、選択器１０９の入力端子１０９Ａに供給される。
【００４２】
前述したように、待機状態においては、選択器１０９の制御端子１０９Ｓに供給されている信号であるＳ１０８の論理値が「０」であるので、選択器１０９からは入力端子１０９Ａに供給されている信号、即ち信号Ｓ１０７が選択され、録数器１０８に供給される。
【００４３】
信号Ｓ１０７の論理値は「１」に変化しているので、録数器１０８の出力信号Ｓ１０８の論理値も、同期信号が「１」に変化するのに同期して「１」に変化する。更に、録数器１０８の出力信号Ｓ１０８は選択器１０９の制御端子１０９Ｓに供給され、選択器１０９において入力端子１０９Ｂに供給されている信号を選択して出力するように制御する。
【００４４】
選択器１０９の入力端子１０９Ｂには、論理和１０６の出力信号Ｓ１０６が供給されている。また、論理和１０６の一方の入力には、解除端子１０４からの入力信号Ｓ１０４が、論理否１０５を介して供給されている。
【００４５】
信号Ｓ１０４の論理値が「０」であるので、論理和１０６の一方の入力端子には、論理値が「１」の信号が供給されることになり、論理和１０６の出力信号Ｓ１０６の論理値は「１」となる。更に、該出力信号Ｓ１０６は、選択器１０９の入力端子１０９Ｂに供給される。
【００４６】
前述したように、選択器１０９からは、入力端子１０９Ｂに供給されている信号が選択され出力されるので、選択器１０９からは、出力信号Ｓ１０６が出力され録数器１０８に供給される。更に、同期信号が「１」に変化するのに同期して、録数器１０８の出力信号Ｓ１０８も「１」に変化する。
【００４７】
従って、待機状態において、選択端子１０１、１０２、１０３のいずれかに選択要求信号が入力されると、録数器１０８の出力信号Ｓ１０８は、論理値が「１」となった状態が保持される。
【００４８】
また、出力信号Ｓ１０８の論理値が「１」となった状態において、３個の選択端子１０１、１０２、１０３のいずれかに入力される信号に変化が有ったとしても、解除端子１０４から入力される信号Ｓ１０４は論理値が「０」であるため、論理和１０６の出力信号Ｓ１０６は、論理値が「１」の状態が保持される。従って、選択器１０９の出力信号Ｓ１０９も論理値「１」の状態が保持されるので、録数器１０８の出力信号も論理値「１」の状態が保持される。即ち、録数器１０８の出力信号の論理値が「１」となった状態においては、選択端子１０１、１０２、１０３のいずれかに選択要求信号が入力されても、録数器１０８の出力信号の論理値が「１」である状態は変化しない。
【００４９】
また、録数器１０８の出力信号Ｓ１０８は、論理否１２７を介して論理積１１６、１１７、１１８の一方の入力端子に供給されている。待機状態においては信号Ｓ１０８の論理値は「０」であるので、論理積１１６、１１７、１１８の一方の入力端子には、論理値が「１」の信号が供給されることになる。
【００５０】
また、論理積１１６、１１７、１１８のもう一方の入力端子は、それぞれ選択端子１０１、１０２、１０３に接続されている。待機状態において、３個の選択端子１０１、１０２、１０３のいずれか１個の選択端子、例えば第１の選択端子１０１に選択要求信号が入力されたとすると、論理積１１６の出力信号の論理値は「１」に変化し、２ビット論理積１１２の各ビットの一方の入力に供給される。
【００５１】
更に、２ビット論理積１１２においては、もう一方の入力の論理値が「０１」に固定されているため、２ビット論理積１１２の出力信号の論理値は「０１」に変化し、２ビット論理和１１５の入力端子のうちの１個に供給される。
【００５２】
２ビット論理和１１５の残る２個の入力端子それぞれには、論理値「００」の信号が供給されているので、２ビット論理和１１５の出力信号の論理値は「０１」となり、２ビット選択器１１１の入力端子１１１Ａに供給される。
【００５３】
待機状態において、２ビット選択器１１１からは入力端子１１１Ａに供給された信号が選択され、録数器１１０に供給されている。従って、録数器１１０の出力信号Ｓ１１０の論理値も、同期信号の論理値が「１」に変化するのに同期して「０１」に変化し、録数器１１０の出力信号Ｓ１１０は、選択器１１１の入力端子１１１Ｂに供給される。
【００５４】
前述したように、選択端子１０１、１０２、１０３のいずれかに選択要求信号が入力されると、録数器１０８の出力信号Ｓ１０８の論理値は「１」に変化し、選択器１１１の制御端子１１１Ｓに供給され、選択器１１１において、入力端子１１１Ｂに供給されている信号を選択し出力するように制御する。
【００５５】
従って、待機状態において、第１の選択端子１０１に選択要求信号が入力されると、録数器１１０の出力信号Ｓ１１０の論理値が「０１」である状態が保持される。
【００５６】
また、前述したように、録数器１０８の出力信号Ｓ１０８の論理値が「１」である状態において、３個の選択入力端子に入力される信号の状態が変化しても、信号Ｓ１０８の論理値が「１」である状態は変化しないので、信号Ｓ１１０の論理値も「０１」のままで変化しない。
更に、出力信号Ｓ１１０は３個の２ビット比較器１１９、１２０、１２１の一方の入力端子１１９Ａ、１２０Ａ、１２１Ａに供給される。
【００５７】
３個の２ビット比較器１１９、１２０、１２１のもう一方の入力端子１１９Ｂ、１２０Ｂ、１２１Ｂへ供給される信号の論理値は、固定値となっており、それぞれ「０１」、「１０」、「１１」となっている。
【００５８】
３個の２ビット比較器１１９、１２０、１２１のそれぞれにおいて、録数器１１０の出力信号Ｓ１１０の論理値と前記固定値との比較が行なわれるが、前述したように信号Ｓ１１０の論理値は「０１」であり、かつ２ビット比較器１１９の入力端子１１９Ｂの固定値のみが「０１」であるので、２ビット比較器１１９からは論理値が「１」の信号が、２ビット比較器１２０および１２１からは論理値が「０」の信号が出力される。
【００５９】
２ビット比較器１１９、１２０、１２１の出力信号は、それぞれＮビット論理積１２２、１２３、１２４の各ビットの一方の入力端子に供給されている。また、Ｎビット論理積１２２、１２３、１２４のもう一方の入力端子には、それぞれ第１の音声信号Ｓ１２８、第２の音声信号Ｓ１２９、第３の音声信号Ｓ１３０が供給されている。
【００６０】
３個の２ビット比較器１１９、１２０、１２１のうち２ビット比較器１１９からは論理値が「１」の信号が供給されているので、Ｎビット論理積１２２からは第１の音声信号１２８が出力される一方、２ビット比較器１２０および１２１からは論理値が「０」の信号が供給されているので、Ｎビット論理積１２３および１２４の出力信号の各ビットの論理値は「０」となる。
【００６１】
３個のＮビット論理積１２２、１２３、１２４の出力信号は、Ｎビット論理和１２５によって各ビット毎に論理和演算され、その結果が音声出力端子１２６から出力される。従って、音声出力端子１２６からは第１の音声信号Ｓ１２８が出力されることになる。
【００６２】
また、録数器１０８の出力信号Ｓ１０８の論理値が「１」である状態においては、選択端子１０１、１０２、１０３に入力される信号に変化が有っても、２ビット録数器１１０の出力信号Ｓ１１０の論理値は変化しないので、音声出力端子１２６から第１の音声信号１２８が出力され続け、他の音声信号が出力されることは無い。
【００６３】
以上説明したように、待機状態において、第１の選択端子１０１に選択要求信号が入力されると、音声出力端子１２６からは第１の音声信号Ｓ１２８が出力され、その後に３個の選択端子１０１、１０２、１０３のいずれかに選択要求信号が入力されたとしても、その状態は保持される。
【００６４】
なお、以上の説明は待機状態において、第１の選択端子１０１に選択要求信号が入力された例であったが、同様に第２の選択端子１０２に選択要求信号が入力された場合は、第２の音声信号Ｓ１２９が、第３の選択端子１０３に選択要求信号が入力された場合は、第３の音声信号Ｓ１３０が、音声出力端子１２６から出力される。
【００６５】
以上説明したように、待機状態において、第１、第２、第３の選択端子のいずれかに選択要求信号が入力されると、選択要求信号が入力された選択端子に対応した音声信号が選択され、音声出力端子１２６から出力される状態となる。この状態を選択状態と呼ぶ。また、選択状態においては、録数器１０８の出力信号Ｓ１０８の論理値が「１」となっていることが特徴的である。
【００６６】
選択状態において、解除端子１０４に解除信号が入力されると、本実施の形態１の音声入力装置は再び待機状態に戻る。この過程は初期状態から待機状態へ移行する過程と同様なので、説明を省略する。
【００６７】
図２は本実施の形態１による音声入力装置における動作波形図である。
解除端子１０４に解除信号が入力されると、音声出力端子１２６からは音声信号Ｓ１２８、Ｓ１２９、Ｓ１３０のいずれも出力されず、待機状態となる。待機状態において、３個の選択端子１０１、１０２、１０３のいずれかに選択要求信号が入力された選択端子に対応した音声信号が音声出力端子１２６から出力される。例えば、第１の選択端子１０１に選択要求信号が入力されると、音声出力端子１２６からは音声出力信号Ｓ１２６として第１の音声信号Ｓ１２８が出力される。この後、解除端子１０４に再び解除信号が入力されるまでは、第２および第３の選択端子から入力信号（選択信号Ｓ１０２，Ｓ１０３）が入力されても、音声出力端子１２６からは第１の音声信号Ｓ１２８が出力され、第２および第３の音声信号Ｓ１２９、Ｓ１３０は出力されない。
【００６８】
選択状態において解除端子１０４に解除信号が入力されると、再び待機状態に戻り、音声出力端子１２６からは音声信号Ｓ１２８、Ｓ１２９、Ｓ１３０のいずれも出力されなくなる。
【００６９】
以上のことから、本実施の形態１の音声入力装置では、複数の選択端子のうち最も早く選択要求信号が入力された選択端子に対応した音声入力端子からのみ音声入力が可能となり、解除信号が入力されるまでは選択されなかった音声入力端子からの音声入力は不可能となる。
【００７０】
なお、選択要求信号の入力方法としては多様な方法が存在すると考えられる。例えば、脈信号発生器を備えたマイクロフォンを本実施の形態１の音声入力装置の音声入力端子および選択端子に接続し、歌唱者が前記脈信号発生器を操作することによって脈信号を発生し選択要求信号とする方法が考えられる。
【００７１】
図３は、この入力方法の例を示す構成図である。図３において、１３１、１３２、１３３はマイクロフォン、１３４は本実施の形態１の音声入力装置である。尚、音声入力装置１３４は図１に示されているものであり、図１と同一の部分は同一の番号で示してある。
【００７２】
マイクロフォン１３１、１３２、１３３は、脈信号発生器１４０およびこれを操作するためのスイッチ１４１を備えており、このスイッチ１４１を押すことにより、脈信号発生器１４０からは脈信号Ｓ１４０が出力される。また、脈信号発生器１４０より出力された脈信号Ｓ１４０は、音声入力装置１３４の各選択端子に供給されている。
従って、各歌唱者は、自分が使用しているマイクロフォンのスイッチを押すことにより、音声入力装置に選択要求信号を入力することができる。
【００７３】
また、選択要求信号を入力する別の方法として、例えば、歌唱者の音声を脈信号に変換し選択要求信号として扱う方法が考えられる。
【００７４】
図４は、この方法の例を示す構成図である。図４において、１３４は本実施の形態１の音声入力装置、１３５、１３６、１３７はマイクロフォンである。なお、音声入力装置１３４は図１に示されているものであり、図１と同一の部分は同一の番号で示してある。
【００７５】
マイクロフォン１３５、１３６、１３７は、音声を脈信号Ｓ１４２に変換する変換器１４２を備えており、音声が変換器１４２に入力されることにより、変換器１４２からは脈信号Ｓ１４２が出力される。また、変換器１４２より出力された脈信号Ｓ１４２は、音声入力装置１３４の各選択端子に供給されている。
従って、各歌唱者は、自分が使用しているマイクロフォンに音声を入力することにより、音声入力装置に選択要求信号を入力することができる。
【００７６】
（実施の形態２）
以下、本発明の実施の形態２によるカラオケ装置について、図面を参照しながら説明する。
【００７７】
図５は、本発明の実施の形態２によるカラオケ装置の構成を示すブロック図である。図５において、１は楽曲供給部、２は操作部、３は音響制御部、４は表示制御部、５は音響出力装置、６は表示装置、７Ａ、７Ｂ、７Ｃはマイクロフォン、８は音声入力装置である。
【００７８】
本実施の形態２は、実施の形態１における音声入力装置を使用したカラオケ装置の具体例を示すものである。以下、このように構成された本発明の実施の形態２におけるカラオケ装置について、その動作を説明する。
本実施の形態２におけるカラオケ装置は、３名以下の歌唱者と１名の選曲者によって使用される。
【００７９】
選曲者は、楽曲供給部１に蓄積されている楽曲の中から任意の楽曲を選択し、その楽曲の編号を操作部２に入力することによってカラオケ装置に対し選択した楽曲の演奏を指示する。また、操作部２から解除信号を音声入力装置８に入力することによって音声入力装置８を待機状態にしておく。
【００８０】
操作部２を経由して与えられる選曲者の指示に基づいて、楽曲供給部１では選曲者が所望する楽曲の演奏情報１ａ、歌詞情報１ｂ、背景画像情報１ｃが抽出される。楽曲供給部１において抽出された情報のうち、演奏情報１ａは音響制御部３に供給され、歌詞情報１ｂおよび背景画像情報１ｃは表示制御部４に供給される。
【００８１】
演奏情報１ａは音響制御部３によって増幅され、音響出力装置５からカラオケ伴奏として出力される。他方、歌詞情報１ｂおよび背景画像情報１ｃは、表示制御部４で合成処理がなされ、表示装置６の画面上に表示される。
【００８２】
歌唱者は、音響出力装置５より出力されたカラオケ伴奏と、表示装置６に表示された歌詞情報１ｂとから、自分が歌唱可能な楽曲かどうかを各自で判断する。歌唱者は、マイクロフォン７Ａ、７Ｂ、７Ｃのいずれかを自己のマイクロフォンとして使用しており、マイクロフォン７Ａ、７Ｂ、７Ｃは、音声入力装置８の音声入力端子１２８〜１３０および選択端子１０１〜１０３に接続されている。
【００８３】
前記カラオケ伴奏を聞いて該楽曲を歌唱可能と判断した歌唱者は、自己が使用しているマイクロフォンを使用可能にすべく音声入力を行なう等によって、選択要求信号を発信し音声入力装置８に入力する。
【００８４】
前記実施の形態１で説明したように、音声入力装置８においては最も早く選択要求信号を入力した歌唱者が使用しているマイクロフォンのみが使用可能となることにより、該歌唱者の歌唱音声８ａのみが音響出力装置５から出力される。従って、選曲者によって選曲された楽曲を最も早く歌唱可能と判断した歌唱者のみが、その楽曲を歌唱できることになる。
【００８５】
なお、本実施の形態２において選曲者のみが表示装置６の画面を見て歌詞情報１ｂを確認し、歌唱者の歌唱内容が正しいかを判定することによって、歌唱者がカラオケ伴奏を聴いて楽曲を推測する遊び（以下、曲当てと称する）を行うことが可能となる。
【００８６】
このように、本実施の形態２のカラオケ装置によれば、実施の形態１における音声入力装置を備えることによって、曲当てができる等、カラオケ装置の娯楽性を高めることが可能となる。
【００８７】
（実施の形態３）
図６は、本発明の実施の形態３におけるカラオケ装置の構成を示すブロック図である。図６において、９は選曲部である。本実施の形態３におけるカラオケ装置は、実施の形態２のカラオケ装置に選曲部が加えられた構成になっている。また、図６において図５と同様の動作を行なうものは同一の番号で表示し説明は省略する。
【００８８】
以上のように構成された本発明の実施の形態３におけるカラオケ装置について以下その動作を説明する。
本実施の形態３におけるカラオケ装置は、３名以下の歌唱者と１名の選曲者によって使用される。
本実施の形態３のカラオケ装置においては、先ず選曲者が操作部２を通して選曲部９に対して選曲開始の指示を与える。
【００８９】
選曲部９は、楽曲供給部１に蓄積されている楽曲の中から任意の楽曲を無作為に選択し、その楽曲の編号を楽曲供給部１に供給する。尚、選曲については完全な無作為選曲とすると、全歌唱者が知らない楽曲ばかりが選択される可能性も有るので、楽曲の分野や流行年代等の制限を加えることも可能である。楽曲供給部１は編号に基づいて、選択された楽曲の演奏情報１ａ、歌詞情報１ｂ、背景画像情報１ｃを抽出する。
【００９０】
また、前記選曲開始の指示は、解除信号として音声入力装置８にも供給され、音声入力装置８は待機状態となる。
選曲部９によって無作為選曲がなされ、かつ音声入力装置８が待機状態となると、カラオケ伴奏の演奏が開始され、歌唱者による歌唱および選曲者による判定が行なわれるが、これは実施の形態２と同様であるので説明を省略する。
【００９１】
このように、本実施の形態３のカラオケ装置によれば、実施の形態２におけるカラオケ装置に選曲部を備えることによって、選曲者の嗜好によらない選曲が可能となり、更には選曲の手間が省け、曲当てが手軽に行なえるので、カラオケ装置の娯楽性をより高めることができる。
【００９２】
（実施の形態４）
図７は、本発明の実施の形態４におけるカラオケ装置の構成を示すブロック図である。図７において、１０は、マイクロフォンから入力された歌唱音声８ａを、選曲された楽曲の歌詞情報１ｂおよび旋律情報１ｄの少なくとも一方と比較し、歌唱者が選択された楽曲を正しく歌唱しているかどうかを判定する手段を備えた判定部である。本実施の形態４におけるカラオケ装置は、上記実施の形態３のカラオケ装置に判定部が加えられた構成になっている。また、図７において図６と同様の動作を行なうものは同一の番号で表示し説明は省略する。
【００９３】
以上のように構成された本発明の実施の形態４におけるカラオケ装置について、以下その動作を説明する。
本実施の形態４におけるカラオケ装置は、３名以下の歌唱者と１名の選曲者によって使用される。
【００９４】
本実施の形態４のカラオケ装置においては、実施の形態３と同様に、先ず選曲者が操作部２を通して選曲部９に対して選曲開始の指示を与え、選曲部９は楽曲供給部１に蓄積されている楽曲の中から任意の楽曲を無作為に選択し、その楽曲の編号を楽曲供給部１に供給する。
【００９５】
楽曲供給部１では選曲された楽曲の演奏情報１ａ、歌詞情報１ｂ、背景画像情報１ｃ、旋律情報１ｄが抽出される。楽曲供給部１において抽出された情報のうち演奏情報１ａは音響制御部３に、歌詞情報１ｂは表示制御部４および判定部１０に、旋律情報１ｄは判定部１０に、背景画像情報１ｃは表示制御部４に供給される。
【００９６】
演奏情報１ａは、音響制御部３によって増幅され音響出力装置５からカラオケ伴奏として出力される。また、歌詞情報１ｂおよび背景画像情報１ｃは表示制御部で合成処理がなされ、表示装置６に表示される。但し、歌詞情報１ｂについては選択により表示あるいは非表示とすることも可能である。
【００９７】
カラオケ伴奏が演奏されると、実施の形態２と同様に、音声入力装置８によって３本のマイクロフォンのうち最も早く選択要求信号が発信されたマイクロフォンに入力された音声のみが選択され、音響制御部３を通して音響出力装置５から出力される。
【００９８】
更に、音声入力装置８によって選択された歌唱音声８ａは、判定部１０にも供給される。判定部１０においては音声入力装置８より供給された歌唱音声８ａから、歌唱音声が持つ歌詞情報１ｂおよび旋律情報１ｄを抽出する。
【００９９】
前述したように、判定部１０には楽曲供給部１から演奏中の楽曲の歌詞情報１ｂおよび旋律情報１ｄが供給されている。判定部１０においては、歌詞情報１ｂおよび旋律情報１ｄに関して楽曲供給部１から供給されるものと、音声入力装置８から供給されるものを比較し、歌唱者が演奏されている楽曲を本来の歌詞および旋律通りに歌唱しているか判定が行なわれる。尚、判定部１０における判定要素は、歌詞情報１ｂおよび旋律情報１ｄのどちらか一方とすることもできる。
【０１００】
判定部１０による判定の結果は、表示制御部４を通して表示装置５に表示する等の手段で各歌唱者および選曲者に知らされる。
このように、本実施の形態４のカラオケ装置によれば、歌唱者が正しく歌唱しているかの判断が自動化されることにより、カラオケ装置の娯楽性をより高めることができる。
【０１０１】
（実施の形態５）
図８は、本発明の実施の形態５におけるカラオケ装置の構成を示すブロック図である。図８において、１１は、選択されたマイクロフォン、および歌唱者が楽曲を正しく歌唱したかどうかの判定結果１０ａ、を記憶する手段を備えた記録部である。本実施の形態５におけるカラオケ装置は実施の形態４のカラオケ装置に記録部が加えられた構成になっている。また、図８において、図７と同様の動作を行なうものは同一の番号で表示し説明は省略する。
【０１０２】
本実施の形態５においても実施の形態４と同様に選曲、マイクロフォン選択、歌唱、判定が行われる。
選曲から判定までの各段階において、楽曲供給部１からは選曲された楽曲の曲名等の情報、音声入力装置８からはマイクロフォンの選択結果８ｂ、判定部１０からは判定結果１０ａがそれぞれ記録部１１に供給される。
【０１０３】
記録部１１においては、供給された情報が逐次保存され、選曲から判定までの行程が繰り返されるたびに、これらの情報が蓄積されていく。更に、蓄積された情報を基に、例えば、マイクロフォン別に選択された回数を集計するといった情報の加工も行われる。
【０１０４】
記録部１１において保存、加工された情報は選曲者あるいは歌唱者の要求により随時呼び出しが可能であり、呼び出された情報は表示制御部４を通して表示装置６に表示されることで、選曲者および歌唱者に示される。
【０１０５】
従って、曲当てを繰り返す過程の中で、どの歌唱者が多くの楽曲を歌ったかといった情報が自動的に集計され、選曲者および歌唱者がその集計結果を手軽に知ることができるようになり、曲当ての成績を競うことが容易になる。
【０１０６】
以上説明したように、本実施の形態５のカラオケ装置によれば、判定結果１０ａの情報を記録保存することによって、曲当ての結果を競うことが容易になり、カラオケ装置の娯楽性を高めることができる。
【０１０７】
【発明の効果】
以上のように、本発明にかかる音声入力装置、およびカラオケ装置によれば、複数のマイクロフォンのうち待機状態において最初に選択要求信号を発信したマイクロフォンのみを使用可能とする音声入力装置を備えることにより、かつさらに、カラオケ装置が従来から持つ採点機能や、無作為選曲機能といった付加機能を活用することにより、従来に比べより娯楽性の高いカラオケ装置を実現することができる。
【図面の簡単な説明】
【図１】本発明の実施の形態１における音声入力装置の回路図
【図２】同実施の形態１を説明するための波形図
【図３】同実施の形態１における選択要求信号の入力方法の例を示す構成図
【図４】同実施の形態１における選択要求信号の入力方法の例を示す構成図
【図５】本発明の実施の形態２におけるカラオケ装置の構成図
【図６】本発明の実施の形態３におけるカラオケ装置の構成図
【図７】本発明の実施の形態４におけるカラオケ装置の構成図
【図８】本発明の実施の形態５におけるカラオケ装置の構成図
【図９】従来例におけるカラオケ装置の構成図
【符号の説明】
１，９０１  楽曲供給部
２，９０２  操作部
３，９０３  音響制御部
４，９０４  表示制御部
５，９０５  音響出力装置
６，９０６  表示装置
７Ａ，７Ｂ，７Ｃ，９０７  マイクロフォン
８    音声入力装置
９    選曲部
１０  判定部
【図１】
2004348002.tif 000003
【図２】
2004348002.tif 000004
【図３】
2004348002.tif 000005
【図４】
2004348002.tif 000006
【図５】
2004348002.tif 000007
【図６】
2004348002.tif 000008
【図７】
2004348002.tif 000009
【図８】
2004348002.tif 000010
【図９】
2004348002.tif 000011